(57)【特許請求の範囲】
【請求項１】
主コンテンツデータおよび該主コンテンツデータに関連する複数種類の付加コンテンツデータを配信する外部のデータ配信サーバとネットワークを介して接続されるユーザ端末において、
上記データ配信サーバから受信した、上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を同一画面上に表示する手段を備えるユーザ端末。
【請求項２】
上記主コンテンツデータは、楽曲データであり、上記複数種類の付加コンテンツデータは、ジャケットデータ、歌詞データ、楽譜データ、ライナーノーツデータおよびビデオクリップデータのうち、少なくとも２を含む請求項１に記載のユーザ端末。
【請求項３】
主コンテンツデータおよび該主コンテンツデータに関連する複数種類の付加コンテンツデータを、ネットワークを介して接続される外部のユーザ端末に対して配信するデータ配信サーバにおいて、
上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を上記ユーザ端末に設けられた表示手段の同一画面上に表示させるための表示データを、上記ユーザ端末に対して送信する手段を備えるデータ配信サーバ。
【請求項４】
上記主コンテンツデータは、楽曲データであり、上記複数種類の付加コンテンツデータは、ジャケットデータ、歌詞データ、楽譜データ、ライナーノーツデータおよびビデオクリップデータのうち、少なくとも２を含む請求項３に記載のデータ配信サーバ。
【請求項５】
主コンテンツデータおよび該主コンテンツデータに関連する複数種類の付加コンテンツデータを配信する外部のデータ配信サーバとネットワークを介して接続されるユーザ端末のデータ購入方法において、
上記データ配信サーバから受信した、上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を上記ユーザ端末に設けられた表示手段の同一画面上に表示するようにしたデータ購入方法。
【請求項６】
主コンテンツデータおよび該主コンテンツデータに関連する複数種類の付加コンテンツデータを、ネットワークを介して接続される外部のユーザ端末に対して配信するデータ配信サーバのデータ配信方法において、
上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を上記ユーザ端末に設けられた表示手段の同一画面上に表示させるための表示データを、上記ユーザ端末に対して送信するようにしたデータ配信方法。
【請求項７】
主コンテンツデータと、上記主コンテンツデータに関連する複数種類の付加コンテンツデータとを配信するデータ配信サーバと、上記データ配信サーバにネットワークを介して接続されるユーザ端末とからなり、上記ユーザ端末で購入データを設定すると、上記データ配信サーバから上記ユーザ端末にコンテンツデータが送られるデータ配信システムにおいて、
上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額とを上記ユーザ端末に設けられた表示手段の同一画面上に表示させるための表示データを、上記ユーザ端末に対して送信する手段
を有するデータ配信サーバと、
上記配信サーバから送信される上記表示データを受信する手段と、
受信した上記表示データに基づき、上記主コンテンツデータおよび上記複数種類の付加コンテンツデータ全てをセットで購入するための購入設定，上記主コンテンツデータのみを購入するための購入設定，上記複数種類の付加コンテンツデータ全てを購入するための購入設定，上記複数種類の付加コンテンツデータの中からユーザが所望する付加コンテンツデータを選択して購入するための購入設定のいずれかを選択して入力するための設定入力表示と、上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額とを同一画面上に表示する手段と
を有するユーザ端末と
を備えるようにしたデータ配信システム。
【請求項８】
主コンテンツデータと、上記主コンテンツデータに関連する複数種類の付加コンテンツデータとが記録された記録媒体を再生するデータ再生装置において、
上記主コンテンツデータおよび上記複数種類の付加コンテンツデータ全てをセットで再生するための再生許可設定，上記主コンテンツデータのみを再生するための再生許可設定，上記複数種類の付加コンテンツデータ全てを再生するための再生許可設定，上記複数種類の付加コンテンツデータの中からユーザが所望する付加コンテンツデータを選択して再生するための再生許可設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を同一画面上に表示する手段を備えるようにしたデータ再生装置。
【請求項９】
上記主コンテンツデータおよび上記複数種類の付加コンテンツデータ全てをセットで再生するための再生許可設定，上記主コンテンツデータのみを再生するための再生許可設定，上記複数種類の付加コンテンツデータ全てを再生するための再生許可設定，上記複数種類の付加コンテンツデータの中からユーザが所望する付加コンテンツデータを選択して再生するための再生許可設定のいずれが選択されて入力されたかに応じて、課金情報を生成する手段をさらに備える請求項８に記載のデータ再生装置。
【請求項１０】
上記主コンテンツデータを既に所有している場合に、上記主コンテンツデータを所有していることを示す購入情報を記憶するようにされ、
上記購入情報が記憶されている場合には、
上記課金情報を生成する手段が、上記複数種類の付加コンテンツデータのそれぞれに対して、上記主コンテンツデータを所有していない場合に比して安価な課金情報を生成する請求項９に記載のデータ再生装置。
【請求項１１】
上記主コンテンツデータは、楽曲データであり、上記複数種類の付加コンテンツデータは、ジャケットデータ、歌詞データ、楽譜データ、ライナーノーツデータおよびビデオクリップデータのうち、少なくとも２を含む請求項９または１０に記載のデータ再生装置。
【請求項１２】
主コンテンツデータと、上記主コンテンツデータに関連する複数種類の付加コンテンツデータとが記録された記録媒体を再生するデータ再生方法において、
上記主コンテンツデータおよび上記複数種類の付加コンテンツデータ全てをセットで再生するための再生許可設定，上記主コンテンツデータのみを再生するための再生許可設定，上記複数種類の付加コンテンツデータ全てを再生するための再生許可設定，上記複数種類の付加コンテンツデータの中からユーザが所望する付加コンテンツデータを選択して再生するための再生許可設定のいずれかを選択して入力するための設定入力表示と、
上記主コンテンツデータおよび上記複数種類の付加コンテンツデータ全てをセットで購入するときの課金額，上記主コンテンツデータのみを購入するときの課金額，ユーザが上記主コンテンツデータを所有していない場合に上記複数種類の付加コンテンツデータ全てを購入するときの課金額，ユーザが上記主コンテンツデータを既に所有している場合に上記複数種類の付加コンテンツデータ全てを購入するときの課金額，ユーザが上記主コンテンツデータを所有していない場合に上記複数種類の付加コンテンツデータの中からユーザが所望する付加コンテンツデータを選択して購入するときの課金額，ユーザが上記主コンテンツデータを既に所有している場合に上記複数種類の付加コンテンツデータの中からユーザが所望する付加コンテンツデータを選択して購入するときの課金額と
を同一画面上に表示し、
上記主コンテンツデータおよび上記複数種類の付加コンテンツデータ全てをセットで再生するための再生許可設定，上記主コンテンツデータのみを再生するための再生許可設定，上記複数種類の付加コンテンツデータ全てを再生するための再生許可設定，上記複数種類の付加コンテンツデータの中からユーザが所望する付加コンテンツデータを選択して再生するための再生許可設定のいずれが選択されて入力されたかに応じて、課金情報を生成するようにしたデータ再生方法。
【発明の詳細な説明】
【０００１】
【発明の属する技術分野】
この発明は、楽曲データのような主コンテンツデータと、ジャケットや、歌詞、ライナーノーツ、楽譜等の付加コンテンツデータとを配信するユーザ端末及びデータ購入方法、データ配信サーバ及びデータ配信方法、データ配信システム及びデータ配信方法、並びに、楽曲データと、これに付随するに歌詞データ、ジャケットデータを記録媒体から再生するデータ再生装置及びデータ再生方法に関する。
【０００２】
【従来の技術】
近年、ネットワークを使った音楽配信が話題になっている。音楽配信サービスでは、ネットワーク上に、音楽配信のためのサーバが設けられる。音楽配信を利用する場合には、ユーザの端末がネットワークを介して、音楽配信サーバに接続される。曲を購入する際には、ユーザは、購入した曲を指定して、ダウンロード指令を与える。これにより、音楽配信サーバからユーザ端末に、その曲のデータが送られ、ユーザの端末にダウンロードされる。このとき、ダウンロードした曲に対して課金が行われる。したがって、音楽のコンテンツデータが購入の対象となる。
【０００３】
既存のレコード店での音楽の販売と、音楽配信サービスによるネットワークでの音楽の販売との販売形態の大きな違いは、売買されるものの実体が物理的にあるか否かということである。
【０００４】
つまり、レコード店では、パッケージングされたＣＤ（Compact Disc）アルバムが販売されており、ユーザは、このパッケージングされたＣＤアルバムをレコード店で購入している。
【０００５】
このように、ユーザは、レコード店で自分の気に入った音楽を購入するのであるが、レコード店で販売されているのは、パッケージングされたＣＤアルバムである。したがって、ユーザが実際に購入するのは、音楽そのものではなく、音楽が記録されたＣＤと、このＣＤを収納するケースと、ケースを装飾するジャケットと、ケース内に同封される歌詞カードやライナーノーツからなるパッケージングされたＣＤアルバムである。
【０００６】
売買される実体が物理的にあるということは、その物理的な実体が売買される単位ということになる。したがって、パッケージングされたＣＤアルバムが１つの販売単位であって、そのＣＤアルバムを構成する、ＣＤや、ジャケットや、ライナーノーツや、歌詞カードが、個々に流通されることはない。
【０００７】
【発明が解決しようとする課題】
これに対して、ネットワークを使った音楽配信サービスでは、ユーザにコンテンツデータが提供される。すなわち、１つのアルバムを構成する楽曲データと、ジャケットのデータと、ライナーノーツや歌詞のデータとが提供される。コンテンツのデータそのものは、物理的な実体はなく、個々に流通させることが可能である。
【０００８】
ＣＤのジャケットは、ＣＤアルバムの企画に合わせて作成されており、芸術性の高いものも数多くある。また、歌詞カード、ライナーノーツ等は、その音楽やアーチストを支持するファンにとっては高い価値がある。ＣＤアルバムは、音楽が記録されたＣＤに、このＣＤを収納するケースと、ケースを装飾するジャケットと、ケース内に同封される歌詞カードやライナーノーツの値段が含まれるので、ジャケットや、歌詞カード、ライナーノーツに高い価値があれば、ＣＤアルバムの値段も、それに応じて高くなる。
【０００９】
したがって、楽曲データと、ジャケットのデータや、ライナーノーツや歌詞等のデータとが個々に流通されるようになると、ユーザが必要なものだけを購入することができるようになり、ユーザにとっては、安価に、自分の欲しているコンテンツのデータを購入することができるようになる。
【００１０】
ところが、ジャケットのデータや、ライナーノーツ、歌詞等のデータは、アルバムを構成する音楽のデータに付随するものであり、全く、独立して存在するものではない。したがって、楽曲データと、ジャケットのデータと、ライナーノーツや歌詞のデータとを個々に流通させるような場合でも、楽曲データと、それに付随するデータとが組み合わされているときと、組み合わされていないときとでは、異なる取り扱いとすることが望まれる。
【００１１】
例えば、楽曲データと、ジャケットや、ライナーノーツ、歌詞等のそれに付随するデータとを全て購入する場合と、ジャケットや、ライナーノーツ、歌詞等のデータだけを購入する場合とで、購入金額を異なるようにすることが考えられる。また、カラオケ等では、ペイパーコピー（Pay Per Copy）やペイパーリスン（Pay Per Listen）のときに、歌詞のデータを入れたときと、入れないときとで、課金額を異なるようにすることが考えられる。
【００１２】
したがって、この発明の目的は、楽曲データのような主コンテンツデータと、ジャケットやライナーノーツや歌詞のデータのような付加コンテンツデータとからなるコンテンツを購入する場合に、ユーザのニーズに合わせてコンテンツを購入できるようにしたユーザ端末及びデータ購入方法、データ配信サーバ及びデータ配信方法、データ配信システム及びデータ配信方法、ならびに、データ再生装置及びデータ再生方法を提供することにある。
【００１３】
【課題を解決するための手段】
請求項１の発明は、主コンテンツデータおよび該主コンテンツデータに関連する複数種類の付加コンテンツデータを配信する外部のデータ配信サーバとネットワークを介して接続されるユーザ端末において、
データ配信サーバから受信した、主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
を同一画面上に表示する手段を備えるユーザ端末である。
請求項３の発明は、主コンテンツデータおよび該主コンテンツデータに関連する複数種類の付加コンテンツデータを、ネットワークを介して接続される外部のユーザ端末に対して配信するデータ配信サーバにおいて、
主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
をユーザ端末に設けられた表示手段の同一画面上に表示させるための表示データを、ユーザ端末に対して送信する手段を備えるデータ配信サーバである。
請求項５の発明は、  主コンテンツデータおよび該主コンテンツデータに関連する複数種類の付加コンテンツデータを配信する外部のデータ配信サーバとネットワークを介して接続されるユーザ端末のデータ購入方法において、
データ配信サーバから受信した、主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
をユーザ端末に設けられた表示手段の同一画面上に表示するようにしたデータ購入方法である。
請求項６の発明は、主コンテンツデータおよび該主コンテンツデータに関連する複数種類の付加コンテンツデータを、ネットワークを介して接続される外部のユーザ端末に対して配信するデータ配信サーバのデータ配信方法において、
主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
をユーザ端末に設けられた表示手段の同一画面上に表示させるための表示データを、ユーザ端末に対して送信するようにしたデータ配信方法である。
請求項７の発明は、主コンテンツデータと、主コンテンツデータに関連する複数種類の付加コンテンツデータとを配信するデータ配信サーバと、データ配信サーバにネットワークを介して接続されるユーザ端末とからなり、ユーザ端末で購入データを設定すると、データ配信サーバからユーザ端末にコンテンツデータが送られるデータ配信システムにおいて、
主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額とをユーザ端末に設けられた表示手段の同一画面上に表示させるための表示データを、ユーザ端末に対して送信する手段
を有するデータ配信サーバと、
配信サーバから送信される表示データを受信する手段と、
受信した表示データに基づき、主コンテンツデータおよび複数種類の付加コンテンツデータ全てをセットで購入するための購入設定，主コンテンツデータのみを購入するための購入設定，複数種類の付加コンテンツデータ全てを購入するための購入設定，複数種類の付加コンテンツデータの中からユーザが所望する付加コンテンツデータを選択して購入するための購入設定のいずれかを選択して入力するための設定入力表示と、主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額とを同一画面上に表示する手段と
を有するユーザ端末と
を備えるようにしたデータ配信システムである。
【００１５】
請求項８の発明は、主コンテンツデータと、主コンテンツデータに関連する複数種類の付加コンテンツデータとが記録された記録媒体を再生するデータ再生装置において、
主コンテンツデータおよび複数種類の付加コンテンツデータ全てをセットで再生するための再生許可設定，主コンテンツデータのみを再生するための再生許可設定，複数種類の付加コンテンツデータ全てを再生するための再生許可設定，複数種類の付加コンテンツデータの中からユーザが所望する付加コンテンツデータを選択して再生するための再生許可設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
を同一画面上に表示する手段を備えるようにしたデータ再生装置である。
【００１６】
請求項１２の発明は、主コンテンツデータと、主コンテンツデータに関連する複数種類の付加コンテンツデータとが記録された記録媒体を再生するデータ再生方法において、
主コンテンツデータおよび複数種類の付加コンテンツデータ全てをセットで再生するための再生許可設定，主コンテンツデータのみを再生するための再生許可設定，複数種類の付加コンテンツデータ全てを再生するための再生許可設定，複数種類の付加コンテンツデータの中からユーザが所望する付加コンテンツデータを選択して再生するための再生許可設定のいずれかを選択して入力するための設定入力表示と、
主コンテンツデータおよび複数種類の付加コンテンツデータ全てをセットで購入するときの課金額，主コンテンツデータのみを購入するときの課金額，ユーザが主コンテンツデータを所有していない場合に複数種類の付加コンテンツデータ全てを購入するときの課金額，ユーザが主コンテンツデータを既に所有している場合に複数種類の付加コンテンツデータ全てを購入するときの課金額，ユーザが主コンテンツデータを所有していない場合に複数種類の付加コンテンツデータの中からユーザが所望する付加コンテンツデータを選択して購入するときの課金額，ユーザが主コンテンツデータを既に所有している場合に複数種類の付加コンテンツデータの中からユーザが所望する付加コンテンツデータを選択して購入するときの課金額と
を同一画面上に表示し、
主コンテンツデータおよび複数種類の付加コンテンツデータ全てをセットで再生するための再生許可設定，主コンテンツデータのみを再生するための再生許可設定，複数種類の付加コンテンツデータ全てを再生するための再生許可設定，複数種類の付加コンテンツデータの中からユーザが所望する付加コンテンツデータを選択して再生するための再生許可設定のいずれが選択されて入力されたかに応じて、課金情報を生成するようにしたデータ再生方法である。
【００１７】
楽曲データのような主コンテンツデータと、ジャケットのデータやライナーノーツや歌詞のデータのような付加コンテンツデータとからなるコンテンツを購入する場合に、ユーザのニーズに合わせて、主コンテンツデータと副コンテンツデータとをセットで購入したり、主コンテンツデータのみを購入したりすることができる。また、楽曲だけを安価で購入したり、楽曲をもっている場合には、他の付加コンテンツデータを安価に購入することができる。また、付加コンテンツデータが購入されているかの履歴がとれるので、著作権の異なるデータの著作権料を正確に管理できる。
【００１８】
【発明の実施の形態】
以下、この発明の実施の形態について図面を参照して説明する。図１は、この発明が音楽配信システムに適用された一例を示すものである。
【００１９】
図１において、音楽配信サーバ１には、多数の楽曲データや、ジャケットのデータや、ライナーノーツ、歌詞等のそれに付随するデータが蓄積されている。音楽配信サーバ１は、これらの楽曲データの中から、ユーザが購入を希望するものを、ネットワーク３（例えばインターネット）を介して、提供している。
【００２０】
ユーザ端末２は、ユーザが操作する端末で、パーソナルコンピュータで実現できる。このユーザ端末２は通信機能を有しており、ネットワーク３に接続可能とされている。ユーザ端末２のネットワーク３への接続は、電話回線を利用しても良いし、ＣＡＴＶ（Cable Televsion ）のネットワークサービスや携帯電話のネットワークサービス等を利用しても良い。勿論、専用回線を用いても良い。
【００２１】
楽曲データを購入する場合には、ユーザ端末２がネットワーク３を介して、音楽配信サーバ１のサイトに接続される。ユーザ端末２をネットワーク３を介して音楽配信サーバ１のサイトに接続すると、音楽配信サーバ１からユーザ端末２に、音楽購入用のウェブページが送られてくる。ユーザ端末２を操作しているユーサは、音楽を購入したい場合には、このウェブページの画面に基づいて、操作を行う。これにより、音楽配信サーバ１からユーザ端末２に、ネットワーク３を介して、ユーザが購入を希望している曲の楽曲データが送られる。
【００２２】
また、音楽配信サーバ１には、ジャケットのデータや、ライナーノーツ、歌詞等のデータが蓄積されている。ユーザ端末２を操作しているユーザは、これらの音楽に付随する付加コンテンツデータを購入したい場合には、音楽配信サーバ１から送られてくるウェブページに基づいて、操作を行う。これにより、音楽配信サーバ１からユーザ端末２に、ユーザが購入を希望しているジャケットのデータや、ライナーノーツ、歌詞等のデータが送られる。
【００２３】
図２は、音楽配信サーバ１からユーザ端末２に送られるデータのフォーマットを示すものである。図２に示すように、各タイトルに対して、ジャケットの画像データＡ（例えば、ＪＰＥＧ）と、ライナーノーツのデータＢ（例えば、ＴＥＸＴ）と、歌詞のテキストデータＣ（例えば、ＴＥＸＴ）と、楽譜のデータＤ（例えば、ＴＥＸＴ）と、音楽データ（楽曲）Ｅ（例えば、ＭＰ３やＡＴＲＡＣ３）とからなる。
【００２４】
図３は、音楽配信サーバ１から送られてくる音楽配信のウェブページの一例である。図３において、例えば、タイトル「青い海」を指定すると、図３に示すような購入ページが送られてくる。
【００２５】
このタイトルの「青い海」の情報購入方法としては、
(1) 楽曲（主コンテンツデータ）と、全ての付加情報（付加コンテンツデータ）からなるフルデータを購入する、
(2) 楽曲のみを購入する、
(3) 付加情報のみ全て購入する、
(4) 付加情報のみを個々に購入する、
がある。
【００２６】
図３に示すように、各購入方法に応じて、価格表示１１ａ〜１１ｌと、購入チェック表示１２ａ〜１２ｇが設けられる。ユーザは、自分の購入したい楽曲や情報に対応するチェック表示１２ａ〜１２ｇにチェックを行って、購入ボタン１３をクリックする。これにより、音楽配信サーバ１からユーザ端末２にデータが送られ、この楽曲データがユーザ端末２のストレージデバイスに蓄積される。このとき、価格表示１１ａ〜１１ｌに従って、課金が行われる。
【００２７】
ここで、フルデータの場合、楽曲のみの場合、付加情報のみの場合と、その組み合わせの場合とに応じて、個々に購入価格が設定される。
【００２８】
例えば、楽曲のみの価格は１４０円であり、ジャケットの価格は１０円、ライナーノーツの価格は１０円、歌詞の価格は１０円、楽譜の価格は１０円であり、その合計金額は、
１４０＋１０＋１０＋１０＋１０＝１８０円
である。これに対して、フルデータの場合の価格は１５０円であり、フルデータを購入すると、個々に購入するより、３０円価格が安くなる。
【００２９】
また、楽曲のみを欲しいユーザにとっては、個々にフルデータを購入すると１８０円かかるところ、１４０円で購入できるので、自分の欲しい楽曲を安価に手に入れられる。
【００３０】
また、付加情報には、既に楽曲を所有しているユーザ用の割り引いた価格が提供されている。例えば、楽曲を所有していない場合には、ジャケットの価格は１０円、ライナーノーツの価格は１０円、歌詞の価格は１０円、楽譜の価格は１０円であるが、既に、楽曲を所有している場合には、ジャケットの価格は７円、ライナーノーツの価格は７円、歌詞の価格は７円、楽譜の価格は７円となる。既に楽曲を所有しているユーザは、このように、３割引で付加情報を購入できる。なお、そのためには、既に楽曲を購入していることを証明しておく必要がある。そのためには、購入した楽曲に番号を付加したり、Ｃｏｏｋｉｅを残しておいたりすることが考えられる。また、購入した楽曲のコンテンツデータや付加コンテンツデータ毎に購入情報を残しておくことで、各コンテンツデータ毎に、著作権を管理することができる。
【００３１】
このように、この例では、楽曲のデータと、ジャケットのデータと、ライナーノーツのデータと、歌詞のデータと、楽譜のデータとが、個々に購入できると共に、その組み合わせに応じて、価格が設定される。例えば、フルデータを購入すると割引になったり、楽曲のデータを既に購入していると、付加コンテンツデータが安価に手に入れたりすることができ、ユーザのニーズに合わせて、データを購入することができるようになる。
【００３２】
図４は、この発明がペイパーコピーやペイパーリスンのシステムに適用された例を示すものである。
【００３３】
図４において、光ディスク５１には、楽曲のデータＥ（例えば、ＭＰ３やＡＴＲＡＣ３）と、ジャケットの画像データＡ（例えばＪＰＥＧ）と、ライナーノーツのデータＢ（例えば、ＴＥＸＴ）と、歌詞のテキストデータＣ（例えば、ＴＥＸＴ）と、楽譜のデータＤ（例えば、ＴＥＸＴ）とが暗号化されて記録されている。
【００３４】
光ディスク５１は、スピンドルモータ５２により回転される。光ディスク５１の情報が光学ピックアップ５３により再生される。光学ピックアップ５３の出力が再生アンプ５４を介して復調回路５５に供給される。復調回路５５の出力がエラー訂正回路５６に供給される。エラー訂正回路５６の出力がデマルチプレクサ５７に供給される。
【００３５】
デマルチプレクサ５７で、光ディスク５１からの再生信号から、楽曲のデータＥと、ジャケットの画像データＡと、ライナーノーツのテキストデータＢと、歌詞のテキストデータＣと、楽譜のデータＤとが夫々分離される。
【００３６】
デマルチプレクサ５７の出力がスイッチ回路５８に供給される。スイッチ回路５８は、スイッチ５８ａ、５８ｂ、５８ｃ、５８ｄ、５８ｅからなり、デマルチプレクサ５７で分離された、楽曲のデータＥと、ジャケットの画像データＡと、ライナーノーツのテキストデータＢと、歌詞のテキストデータＣと、楽譜のデータＥとを、夫々、オン／オフするものである。
【００３７】
スイッチ回路５８は、再生制御回路５９により制御される。再生制御回路５９は、再生入力に応じて、スイッチ回路５８を制御すると共に、どのデータの組み合わせが再生されたかという情報を、課金制御回路６０に供給する。課金制御回路６０で、再生されたデータの組み合わせに応じて課金情報が生成され、この課金情報に応じて、プリペイドカード６１から金額が引き落とされる。また、プリペイドカード６１の残量が不足する場合には、課金制御回路６０の出力が再生制御回路５９に供給され、再生が制御される。
【００３８】
スイッチ回路５８の出力が暗号解読回路６２に供給される。暗号解読回路６２には、端子６３から鍵情報が供給される。暗号解読回路６２で、楽曲のデータＥと、ジャケットの画像データＡと、ライナーノーツのテキストデータＢと、歌詞のテキストデータＣと、楽譜のデータのテキストデータＤとについて、夫々、暗号解読がなされる。
【００３９】
暗号解読回路６２により暗号解読された楽曲のデータＥは、伸長回路６４に供給される。伸長回路６４は、例えば、ＭＰ３やＡＴＲＡＣ３の伸長処理を行うものである。暗号解読回路６２からの楽曲データは、伸長回路６４で伸長される。伸長回路６４の出力がディジタル出力端子６５から出力されると共に、Ｄ／Ａコンバータ６６でアナログ信号に変換されて、アナログ出力端子６７から出力される。
【００４０】
暗号解読回路６２により暗号解読されたライナーノーツのテキストデータＢと、歌詞のテキストデータＣと、楽譜のデータＤは、文字デコーダ６８に供給される。文字デコーダ６８で、ライナーノーツのテキストデータＢや、歌詞のテキストデータＣや、楽譜のデータＤがデコードされる。文字デコーダ６８の出力が文字データ出力端子６９から出力される。
【００４１】
暗号解読回路６２により暗号解読されたジャケットの画像データＡは、画像デコーダ７０に供給される。画像デコーダ７０は、例えば、ＪＰＥＧの画像デコードを行うものである。画像デコーダ７０でデコードされた画像データは、画像出力端子７１から出力される。
【００４２】
再生制御回路５９には、再生入力が与えられる。再生入力には、１度料金を支払うと、その後継続して再生が許可される「買い取り」と、料金を支払う毎に１回のみ再生が許可される「ペイパーリスン」とが選べる。「ペイパーリスン」は、例えば、「買い取り」の１／１０程度の価格に設定される。
【００４３】
また、データの再生には、前述の音楽配信サーバの例と同様に、
(1) 楽曲と、全ての付加情報からなるフルデータを再生する、
(2) 楽曲のみを再生する、
(3) 付加情報のみ全て再生する、
(4) 付加情報のみを個々に再生する、
がある。
【００４４】
そして、前述の音楽配信サーバの例と同様に、フルデータの場合、楽曲のみの場合、付加情報のみの場合、その組み合わせの場合と応じて、個々に購入価格が設定される。
【００４５】
再生制御回路５９に再生入力が与えられると、再生制御回路５９からスイッチ制御信号が発生され、再生入力の組み合わせに応じて、スイッチ回路５８がオン／オフされる。そして、課金制御回路６０で、再生されるデータの組み合わせに応じた課金情報が生成され、プリペイドカード６１から料金が引き落とされる。
【００４６】
例えば、フルデータを再生する場合には、スイッチ回路５８を構成する全てのスイッチがオンされる。そして、フルデータ再生の場合の料金に応じて、プリペイドカード６１から料金が引き落とされる。
【００４７】
楽曲のみ再生の場合には、スイッチ回路５８を構成するスイッチのうちスイッチ５８ａのみがオンされる。そして、楽曲のみ再生の場合の料金に応じて、プリペイドカード６１から料金が引き落とされる。
【００４８】
なお、暗号解読の鍵情報は、光ディスク５１上の例えばサブコードのデータやウォータマークの情報から入手することや、インターネットで入手することが考えられる。また、再生制御は、スイッチによらずに、鍵のみの購入でも行うことができる。
【００４９】
また、伸長回路６４で伸長された楽曲データや、文字デコーダ６８でデコードされた文字データ、画像デコーダ７０でデコードされた画像データは、必要に応じて、同期させるようにしても良い。例えば、カラオケの場合には、楽曲データに応じて、歌詞の文字データを同期再生させることで、再生されている曲の部分に応じた歌詞を表示させることが可能になる。
【００５０】
なお、上述の例では、コンテンツデータとして楽曲データを配信したり、再生させる場合について説明したが、コンテンツデータは、楽曲データに限定されるものではない。例えば、映画や、ゲーム、写真、電子書籍等をコンテンツとする場合にも同様に適用できる。
【００５１】
例えば、映画のビデオカセットやＤＶＤ（Digital Versatile Disc）は、映画の映像と音声が記録されたビデオカセットやＤＶＤを、ジャケットや解説等が印刷されたケースに収納し、パッケージングして販売されている。この場合、主コンテンツデータは、映画の動画や音声データであり、付加コンテンツデータは、ジャケットのデータや、解説のテキストデータである。
【００５２】
また、ゲームソフトでは、ゲームのプログラムが主コンテンツデータとなり、ゲームのやり方や攻略の仕方の解説書のデータが付加コンテンツデータとなる。
電子書籍では、物語のデータが主コンテンツデータとなり、この物語の解説や挿絵等が付加コンテンツデータとなる。
【００５３】
【発明の効果】
この発明によれば、楽曲データのような主コンテンツデータと、ジャケットのデータやライナーノーツや歌詞のデータのような付加コンテンツデータとからなるコンテンツを購入する場合に、ユーザのニーズに合わせて、主コンテンツデータと付加コンテンツデータとをセットで購入したり、主コンテンツデータのみを購入したりすることができる。また、楽曲だけを安価で購入したり、楽曲をもっている場合には、他の付加コンテンツデータを安価に購入することができる。また、付加コンテンツデータが購入されているかの履歴がとれるので、著作権の異なるデータの著作権料を正確に管理できる。
【図面の簡単な説明】
【図１】この発明が適用できる音楽配信システムの説明に用いるブロック図である。
【図２】コンテンツデータの一例の略線図である。
【図３】コンテンツ購入のためのウェフページの一例の略線図である。
【図４】この発明が適用された再生装置の一例のブロックである。
【符号の説明】
１１ａ〜１１ｌ・・・価格表示，１２ａ〜１２ｇ・・・チェック表示，５１・・・光ディスク，５７・・・デマルチプレクサ，５８・・・スイッチ回路
【図１】
0004663089.tif 000002
【図２】
0004663089.tif 000003
【図３】
0004663089.tif 000004
【図４】
0004663089.tif 000005